【手続補正書】
【提出日】平成18年5月29日(2006.5.29)
【手続補正１】
【補正対象書類名】明細書
【補正対象項目名】発明の名称
【補正方法】変更
【補正の内容】
【発明の名称】印刷システムと印刷制御方法及び印刷装置とその制御方法
【手続補正２】
【補正対象書類名】明細書
【補正対象項目名】特許請求の範囲
【補正方法】変更
【補正の内容】
【特許請求の範囲】
【請求項１】
画像供給デバイスと印刷装置とを通信インターフェースを介して直接通信し、前記画像供給デバイスから前記印刷装置に画像データを送信して印刷する印刷システムであって、
前記印刷装置は、
前記印刷装置が対応可能な印刷条件を含む機能情報の送信を伴う第１印刷モードと、前記機能情報の送信を伴わない第２印刷モードとを備え、
前記第１印刷モードの場合において、
前記印刷装置と前記画像供給デバイスに実装されたアプリケーションによる通信の確立後、前記画像供給デバイスに、機能情報を送信する機能情報送信手段を有し、
前記画像供給デバイスは、前記印刷装置から送信された前記機能情報に基づいて設定された印刷条件を前記印刷装置に送信する印刷条件送信手段を有し、
前記第２印刷モードの場合において、
前記印刷装置は、前記画像供給デバイスから送られてきた画像データの印刷条件を決定して印刷する印刷制御手段と、
を有することを特徴とする印刷システム。
【請求項２】
前記通信インターフェースにおいて、前記印刷装置をホストに、前記画像供給デバイスをスレーブとして設定することを特徴とする請求項１に記載の印刷システム。
【請求項３】
前記第１印刷モードと前記第２印刷モードは、前記機種情報の通信により切換え可能に設定されることを特徴とする請求項１に記載の印刷システム。
【請求項４】
印刷装置が対応可能な印刷条件を含む機能情報の送信を伴う第１印刷モードと前記機能情報の送信を伴わない第２印刷モードとを備えている印刷装置と、画像供給デバイスとを、通信インターフェースを介して直接通信し、前記画像供給デバイスから前記印刷装置に画像データを送信して印刷する印刷制御方法であって、
前記第１印刷モードの場合において、
前記印刷装置と前記画像供給デバイスに実装されたアプリケーションによる通信の確立後、前記印刷装置が前記画像供給デバイスに機能情報を送信する機能情報送信ステップと、
前記画像供給デバイスにより、前記印刷装置から送信された前記機能情報に基づいて設定された印刷条件を前記印刷装置に送信する印刷条件送信ステップとを有し、
前記第２印刷モードの場合において、
前記印刷装置から前記画像供給デバイスに画像データを送信する画像データ送信ステップと、
前記送信ステップで送られた画像データの印刷条件を前記印刷装置で決定して印刷する印刷制御ステップと、
を有することを特徴とする印刷制御方法。
【請求項５】
前記通信インターフェースにおいて、前記印刷装置をホストに、前記画像供給デバイスをスレーブとして設定することを特徴とする請求項４に記載の印刷制御方法。
【請求項６】
前記第１印刷モードと前記第２印刷モードは、前記機種情報の通信により切換え可能に設定されることを特徴とする請求項４に記載の印刷制御方法。
【請求項７】
画像供給デバイスと通信インターフェースを介して直接通信し、前記画像供給デバイスからの画像データを受信して印刷する印刷装置であって、
前記印刷装置が対応可能な印刷条件を含む機能情報の送信を伴う第１印刷モードと、前記機能情報の送信を伴わない第２印刷モードと備え、
前記第１印刷モードの場合において、前記印刷装置と前記画像供給デバイスに実装されたアプリケーションによる通信の確立後、前記画像供給デバイスに前記機能情報を送信する機能情報送信手段と、
前記印刷装置から送信された前記機能情報に基づいて設定された印刷条件を前記画像供給デバイスから受信する印刷条件受信手段と、
前記印刷条件受信手段で受信した前記印刷条件に基づいて印刷する印刷手段とを有し、
前記第２印刷モードの場合において、画像供給デバイスから画像データを受信する受信手段と、
前記受信手段で受信した前記画像データの印刷条件を決定して印刷する印刷制御手段と、
を有することを特徴とする印刷装置。
【請求項８】
前記通信インターフェースにおいて、前記印刷装置をホストに、前記画像供給デバイスをスレーブとして設定することを特徴とする請求項７に記載の印刷装置。
【請求項９】
前記第１印刷モードと前記第２印刷モードは、前記機種情報の通信により切換え可能に設定されることを特徴とする請求項７に記載の印刷装置。
【請求項１０】
前記画像供給デバイスとの通信の確立後、始めに前記第２印刷モードになり、その後、前記第１印刷モードに移行することを特徴とする請求項７に記載の印刷装置。
【請求項１１】
前記機能情報には、前記印刷装置が対応可能な用紙に関する情報を含むことを特徴とする請求項７に記載の印刷装置。
【請求項１２】
印刷装置が対応可能な印刷条件を含む機能情報の送信を伴う第１印刷モードと、前記機能情報の送信を伴わない第２印刷モードと備えており、画像供給デバイスと通信インターフェースを介して直接通信し、前記画像供給デバイスからの画像データを受信して印刷する印刷装置の制御方法であって、
前記第１印刷モードの場合において、
前記印刷装置と前記画像供給デバイスに実装されたアプリケーションによる通信の確立後、前記印刷装置は前記画像供給デバイスに前記機能情報を送信する機能情報送信ステップと、
前記印刷装置から送信された前記機能情報に基づいて設定された印刷条件を前記画像供給デバイスから受信する印刷条件受信ステップと、
前記印刷条件受信ステップで受信した印刷条件に基づいて印刷する印刷ステップとを有し、
前記第２印刷モードの場合において、
画像供給デバイスから画像データを受信する受信ステップと、
前記受信ステップで受信した前記画像データの印刷条件を決定して印刷する印刷制御ステップと、
を有することを特徴とする印刷装置の制御方法。
【請求項１３】
前記通信インターフェースにおいて、前記印刷装置をホストに、前記画像供給デバイスをスレーブとして設定することを特徴とする請求項１２に記載の印刷装置の制御方法。
【請求項１４】
前記第１印刷モードと前記第２印刷モードは、前記機種情報の通信により切換え可能に設定されることを特徴とする請求項１２に記載の印刷装置の制御方法。
【請求項１５】
前記画像供給デバイスとの通信の確立後、始めに前記第２印刷モードになり、その後、前記第１印刷モードに移行することを特徴とする請求項１２に記載の印刷装置の制御方法。
【請求項１６】
前記機能情報には、前記印刷装置が対応可能な用紙に関する情報を含むことを特徴とする請求項１２に記載の印刷装置の制御方法。
【手続補正３】
【補正対象書類名】明細書
【補正対象項目名】０００１
【補正方法】変更
【補正の内容】
【０００１】
【発明の属する技術分野】
本発明は、デジタルカメラなどの画像供給デバイスと印刷装置とを有する印刷システムと印刷制御方法及び印刷装置とその制御方法に関するものである。
【手続補正４】
【補正対象書類名】明細書
【補正対象項目名】０００５
【補正方法】変更
【補正の内容】
【０００５】
本発明は上記従来例に鑑みてなされたもので、インターフェースに依存しない画像データの転送及び印刷指示を行うことにより、各社の画像供給デバイスからの画像データを受信して印刷できる印刷システムと印刷制御方法及び印刷装置とその制御方法を提供することを目的とする。
【手続補正５】
【補正対象書類名】明細書
【補正対象項目名】０００６
【補正方法】変更
【補正の内容】
【０００６】
また本発明の目的は、画像供給デバイスと印刷装置との間の標準的な通信規約を規定して、機種やメーカに拠らない印刷処理を実行できる印刷システムと印刷制御方法及び印刷装置とその制御方法を提供することにある。
【手続補正６】
【補正対象書類名】明細書
【補正対象項目名】０００７
【補正方法】変更
【補正の内容】
【０００７】
【課題を解決するための手段】
上記目的を達成するために本発明の印刷システムは以下のような構成を備える。即ち、
画像供給デバイスと印刷装置とを通信インターフェースを介して直接通信し、前記画像供給デバイスから前記印刷装置に画像データを送信して印刷する印刷システムであって、
前記印刷装置は、
前記印刷装置が対応可能な印刷条件を含む機能情報の送信を伴う第１印刷モードと、前記機能情報の送信を伴わない第２印刷モードとを備え、
前記第１印刷モードの場合において、
前記印刷装置と前記画像供給デバイスに実装されたアプリケーションによる通信の確立後、前記画像供給デバイスに、機能情報を送信する機能情報送信手段を有し、
前記画像供給デバイスは、前記印刷装置から送信された前記機能情報に基づいて設定された印刷条件を前記印刷装置に送信する印刷条件送信手段を有し、
前記第２印刷モードの場合において、
前記印刷装置は、前記画像供給デバイスから送られてきた画像データの印刷条件を決定して印刷する印刷制御手段と、を有することを特徴とする。
【手続補正７】
【補正対象書類名】明細書
【補正対象項目名】０００８
【補正方法】変更
【補正の内容】
【０００８】
上記目的を達成するために本発明の印刷制御方法は以下のようなステップを備える。即ち、
印刷装置が対応可能な印刷条件を含む機能情報の送信を伴う第１印刷モードと前記機能情報の送信を伴わない第２印刷モードとを備えている印刷装置と、画像供給デバイスとを、通信インターフェースを介して直接通信し、前記画像供給デバイスから前記印刷装置に画像データを送信して印刷する印刷制御方法であって、
前記第１印刷モードの場合において、
前記印刷装置と前記画像供給デバイスに実装されたアプリケーションによる通信の確立後、前記印刷装置が前記画像供給デバイスに機能情報を送信する機能情報送信ステップと、
前記画像供給デバイスにより、前記印刷装置から送信された前記機能情報に基づいて設定された印刷条件を前記印刷装置に送信する印刷条件送信ステップとを有し、
前記第２印刷モードの場合において、
前記印刷装置から前記画像供給デバイスに画像データを送信する画像データ送信ステップと、
前記送信ステップで送られた画像データの印刷条件を前記印刷装置で決定して印刷する印刷制御ステップと、を有することを特徴とする。
【手続補正８】
【補正対象書類名】明細書
【補正対象項目名】０００９
【補正方法】変更
【補正の内容】
【０００９】
上記目的を達成するために本発明の印刷装置は以下のような構成を備える。即ち、
画像供給デバイスと通信インターフェースを介して直接通信し、前記画像供給デバイスからの画像データを受信して印刷する印刷装置であって、
前記印刷装置が対応可能な印刷条件を含む機能情報の送信を伴う第１印刷モードと、前記機能情報の送信を伴わない第２印刷モードと備え、
前記第１印刷モードの場合において、前記印刷装置と前記画像供給デバイスに実装されたアプリケーションによる通信の確立後、前記画像供給デバイスに前記機能情報を送信する機能情報送信手段と、
前記印刷装置から送信された前記機能情報に基づいて設定された印刷条件を前記画像供給デバイスから受信する印刷条件受信手段と、
前記印刷条件受信手段で受信した前記印刷条件に基づいて印刷する印刷手段とを有し、
前記第２印刷モードの場合において、画像供給デバイスから画像データを受信する受信手段と、
前記受信手段で受信した前記画像データの印刷条件を決定して印刷する印刷制御手段と、を有することを特徴とする。
また上記目的を達成するために本発明の印刷装置の制御方法は以下のようなステップを備える。即ち、
印刷装置が対応可能な印刷条件を含む機能情報の送信を伴う第１印刷モードと、前記機能情報の送信を伴わない第２印刷モードと備えており、画像供給デバイスと通信インターフェースを介して直接通信し、前記画像供給デバイスからの画像データを受信して印刷する印刷装置の制御方法であって、
前記第１印刷モードの場合において、
前記印刷装置と前記画像供給デバイスに実装されたアプリケーションによる通信の確立後、前記印刷装置は前記画像供給デバイスに前記機能情報を送信する機能情報送信ステップと、
前記印刷装置から送信された前記機能情報に基づいて設定された印刷条件を前記画像供給デバイスから受信する印刷条件受信ステップと、
前記印刷条件受信ステップで受信した印刷条件に基づいて印刷する印刷ステップとを有し、
前記第２印刷モードの場合において、
画像供給デバイスから画像データを受信する受信ステップと、
前記受信ステップで受信した前記画像データの印刷条件を決定して印刷する印刷制御ステップと、を有することを特徴とする。